(57)【要約】【課題】本発明は乳幼児から大人まで入浴中に転倒、うたた寝、失神等の無意識状態になっても顔面が水面に触れることを防ぐための入浴補助具である。【解決手段】連結部を境に首ぐり部分を有する枕部と顔面受部から構成される浮力体。【選択図】図３
2004057752.tif 000002
【特許請求の範囲】
【請求項１】
首を通すための首ぐり部分を設けた枕部と顔面を受けるための顔面受け部から構成され、それぞれが容易に可動するための連結部からなる浮力性のある入浴補助具。
【発明の詳細な説明】
【０００１】
【発明の属する技術分野】
本発明は乳幼児や身体障害者、高齢者等が入浴中に転倒して溺れたり、何らかの疾患で意識を失い失神状態に陥り溺死をすることを防止するための入浴補助具に関するものである。
【０００２】
【従来の技術】
厚生省の人口動態統計によると一般家庭内で入浴中に溺死する人は年間３０００人近い。
高齢者や心臓疾患等が浴室と浴槽内の温度差によって血圧が急激に変化して失神状態となり溺死にいたるのが主な原因である。
また、家庭内で乳幼児の事故死でいちばん多いのが水に溺れることである。
特にお風呂場の浴槽はこのような乳幼児にとっては危険な場所でもある。
一人歩きのできるような幼児であっても滑って転んだらたとえ水位の低い浴槽でも起き上がれず危険な状態になる可能性が高いと言われている。
このことは今、社会問題にもなっている。
高齢化社会に向けて入浴中の溺死防止用品の研究はされているが安全性と快適性を兼ね備えた手軽なものが開発されていないのが現状である。
【０００３】
【従来の技術】
浴槽内での溺死を防止するための従来技術としては実開平６−２３５３５、特開平９−２８５５１９を認めることができる。
【０００４】
【発明が解決しようとする課題】
しかしながら前出の実開平６−２３５３５に関しては失神状態で顔が前傾になった時、顔面側の浮き体に十分な浮力がないために不安定な状態となり水面の水が顔面に浸かってしまい溺れてしまう危険性が高い。
それを防ぐための対策は設備が大掛かりな支え具に固定しないと効果が発揮されず手軽で快適な入浴はできない。
また、顔面が前傾になることを防止するための技術として特開平９−２８５５１９があるが体の上半身に装着する胴衣式のもので入浴中に上半身が浮きあがってしまい首までゆったり浸かることが困難で快適な入浴は望めない。
その他、浴槽内に設けた固定装置を利用して体を固定するものもあるがどれも寝たきりの方を対象にした大掛かりな装置であるため乳幼児から大人まで手軽にしかも快適に入浴できるものはない。
【０００５】
そこで本発明は従来の問題点を解決するために簡便、かつ安価で乳幼児から大人までが浴槽内で顔面が前傾になった場合でも頭部が後ろに倒れても顔面が水面に浸ることのない安全な入浴補助具を提供するものである。
【０００６】
【課題を解決するための手段】
本発明の入浴補助具は同構造でサイズを変更するだけで乳幼児から大人まで適用できるものである。
本発明品は人体構造上、意識がなくなると頭の重さで自然に顔面が前に倒れたり、頭部が後ろに倒れることを前提として開発されたものである。
本発明品を使用することで入浴中に幼児が誤って足を滑らし水没したり、突然の失神状態で顔面が前面に倒れた場合でも顔面が水面に触れることとがないため溺死を防止できる入浴補助具を提供するものである。
【０００７】
本発明の入浴補助具の材質は柔軟な弾力性と浮力性を有するものであれば特に限定はされないが装着した際に違和感のない快適感を与えるものが好ましい。
例えば空気の漏れない合成樹脂製のフィルムまたは水分を吸収しない独立発砲の軟質の発砲ポリエチレン、発砲スチロール等がある。
素材の表面は肌触りのよい素材及び植毛等の表面加工が好ましい。
【０００８】
本発明である入浴補助具の構造は柔軟性を有する合成樹脂製のフィルムにて中空の袋状態を形成して空気が封入されると弾性と浮力性を有し、不使用時には脱気可能にして携帯性を持たせる。
【０００９】
本発明である入浴補助具の形状は一体の構造で首ぐり部を設けた枕部と顔面受部から構成されそれぞれは連結されている。
その連結部の一方は注入された空気が流通される穴を一部残して熱溶着されている。
もう一方の連結部は首ぐり部に首を通すための開口部を設け、さらにその開口部を閉じるための脱着ホックまたは面ファスナーを枕側と顔面受部の両側に備えてある。
また、連結部を完全に熱溶着させて枕部と顔面受部のそれぞれに空気弁を設ける方法もある。
この開口部を閉じることで枕部と顔面受部は二箇所の連結部にて完全に接続され、しっかり首ぐり部に装着され、しかもこの連結部がヒンジの役目を果たし、容易に可動することが可能となる。
【０００１０】
【発明の実施の形態】
以下、図の実施例に基づいて本発明を詳細に説明する。
図１は本発明の開口部を開いた状態の斜視図である。
図２は本発明の開口部を閉じた状態の斜視図である。
図３は本発明の使用状態を示す図である。
図４は本発明を使用して顔面を前傾した状態の図である。
【００１１】
図面１に示すように本発明の入浴補助具（１）は一体化された材料によって連結部（５）と開口部（６）を有し、首ぐり部（３）を有する枕部（２）と顔面受部（４）が２分割されていることを特徴とする。
【００１２】
使用の形態は本体（１）に設けた空気弁（９）から空気を注入することで枕部（２）と顔面受部（４）をつなぐ連結部（５）の一部に設けられた空気の流通口から空気が流れ込み、本体（１）の全体に適度な弾性のある浮力体が形成される。
【００１３】
装着方法は図３に示すように開口部（６）を軽く開くことで空気の入った本体の弾性で枕部の首ぐり部（３）に簡単に首を通すことが可能となる。
【００１４】
首を首ぐり部（３）に通した後は枕部側の止め具（７）と顔面受部側の止め具（８）を止めることで装着は完了である。
【００１５】
装着した状態で入浴することで首から上が浮いているので万が一うたた寝や失神して頭が後部又は左右に倒れても枕部の浮力と前方の顔面受部の浮力によって水没する危険は避けられる。
【００１６】
最も危険で溺死の可能性の高いケースとして顔が前傾して顔面が水面に触れて窒息死するケースである。
すでにある技術の補助具では前面の浮力体に顔面が覆いかぶさることでかなりの荷重がかかって浮力不足となり水が流れ込んで危険性が高い。
【００１７】
ところが本発明品を装着した状態であれば連結部（５）と止め具（７）（８）の部分がヒンジの役割を果すので少しの加重でも頭が前傾すると図４のように枕部（２）が折れ曲がり自然に顔面受部（４）の上面にかぶさる状態となる。
この際、顔面受部（４）は十分な面積と浮力を保持しているため周囲から水が入り込んで顔面に触れることがないので窒息する危険を避けることが可能となった。
また、前後左右に十分な面積と浮力があるので頭部がどのような角度に傾いても十分対応ができる。
【００１８】
本発明品はサイズを変えることで乳幼児から大人まで使用できる為、本体の表面を印刷や転写によって年齢層に応じたデザインや柄にすることで使用しやすくなる。
その一例として本体の表面に幼児が好むキャラクターを印刷したり、透明な素材を使用し、中に音の出る鈴や動きのある材質を入れることで幼児が喜んで装着することが可能となる。
【００１９】
さらに本体内部に簡易警報装置を内蔵させ、その発信スイッチ（１３）を顔面受部に設ければ気分が悪くなった時、このスイッチを引くことで周囲に知らせることができるので発見を早めることが可能となる。
【００２０】
【発明の効果】
本発明の入浴用補助具を幼児に装着させることで付き添い者が洗髪時等、一瞬の目が届かない間でも事故を朱然に防ぐことができる。
また、ストレス社会、高齢化社会に向けて浴槽内での発作、うたた寝による事故を未然に防ぐ。
不使用の場合は空気弁から脱気することでコンパクトになり携帯性が高まるので旅行先での温泉や温度差の激しい露天風呂等でも安心して入浴を楽しむことが可能となった。
また、高齢者に限らず枕部（２）に十分な浮力があるので首に負担をかけずに快適に入浴が楽しめ癒し効果も期待できる。
本発明の普及によって年間３０００人近い人命を救うことができるのでその社会的な貢献度は高い。
しかも、装着が手軽で安価なので各家庭に常備することが可能である
【００２１】
【図面の簡単な説明】
【図１】は本発明の開口部を開いた状態の斜視図である。
【図２】は本発明の開口部を閉じた状態の斜視図である。
【図３】は本発明の使用状態を示す図である。
【図４】は本発明を使用して顔面を前傾した状態の図である。
【符号の説明】
１　入浴補助具本体
２　枕部
３　首ぐり部
４　顔面受部
５　連結部
６　開口部
７　枕部側留め具
８　顔面受具側止め具
９　空気注入弁
１０使用者
１１浴槽
１２湯面
１３警報装置の発信スイッチ
【図１】
2004057752.tif 000003
【図２】
2004057752.tif 000004
【図３】
2004057752.tif 000005
【図４】
2004057752.tif 000006